【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、正の屈折力の第３レンズ群より構成され、ズーミングに際して各レンズ群が移動するズームレンズにおいて、該第１レンズ群は２枚のレンズより構成され、該第２レンズ群は物体側から像側へ順に、正レンズ、正レンズ、負レンズ、正レンズより構成され、該第３レンズ群は１枚のレンズより構成され、広角端における全系の焦点距離をｆｗ、該第１レンズ群の焦点距離をｆ１、該第２レンズ群の焦点距離をｆ２、該第２レンズ群の最も像側の正レンズの焦点距離をｆＧ２４、広角端から望遠端へのズーミングにおける該第２レンズ群と該第３レンズ群の光軸方向の移動量を各々ｍ２、ｍ３（移動量の符号は像側へ移動するときを正）とするとき、
１．３＜｜ｆ１／ｆｗ｜＜２．３ 
１．０＜ｆＧ２４／ｆ２＜１．６ 
−０．１５＜ｍ３／ｍ２＜−０．０１ 
なる条件式を満足することを特徴とするズームレンズ
【請求項２】
前記第２レンズ群の最も物体側の正レンズの物体側のレンズ面の曲率半径をＧ２１Ｒａ、像側のレンズ面の曲率半径をＧ２１Ｒｂとするとき、
−１．５＜（Ｇ２１Ｒａ＋Ｇ２１Ｒｂ）／（Ｇ２１Ｒａ−Ｇ２１Ｒｂ）≦−１．０
なる条件式を満足することを特徴とする請求項１のズームレンズ。
【請求項３】
前記第３レンズ群の広角端における横倍率をβ３ｗとするとき、
０．３５＜（１−β３ｗ２）＜０．５０
なる条件式を満足することを特徴とする請求項１又は２のズームレンズ。
【請求項４】
０．８＜｜ｆ２／ｆ１｜＜１．３
なる条件式を満足することを特徴とする請求項１、２又は３のズームレンズ。
【請求項５】
前記第３レンズ群の焦点距離をｆ３とするとき、
３．５＜ｆ３／ｆｗ＜６．０
なる条件式を満足することを特徴とする請求項１乃至４のいずれか１項のズームレンズ。
【請求項６】
前記第２レンズ群の最も像側の正レンズの材料の屈折率をＮＧ２４とするとき
ＮＧ２４＞１．７５
なる条件式を満足することを特徴とする請求項１乃至５のいずれか１項のズームレンズ。
【請求項７】
広角端から望遠端へのズーミングに際して、前記第１レンズ群は像側に凸状の軌跡で移動し、前記第２レンズ群は単調に物体側に移動し、前記第３レンズ群は像側に移動することを特徴とする請求項１乃至６のいずれか１項のズームレンズ。
【請求項８】
前記第１レンズ群は、物体側と像側のレンズ面が非球面形状の負レンズを有することを特徴とする請求項１乃至７のいずれか１項のズームレンズ。
【請求項９】
前記第３レンズ群は、無限遠物体から近距離物体へのフォーカシングに際して、物体側に移動することを特徴とする請求項１乃至８のいずれか１項のズームレンズ。
【請求項１０】
請求項１乃至９のいずれか１項のズームレンズを有することを特徴とする光学機器。
【手続補正２】
【補正対象書類名】明細書
【補正対象項目名】００１１
【補正方法】変更
【補正の内容】
【００１１】
本発明のズームレンズは、物体側より像側へ順に、負の屈折力の第１レンズ群、正の屈折力の第２レンズ群、正の屈折力の第３レンズ群より構成され、ズーミングに際して各レンズ群が移動するズームレンズにおいて、該第１レンズ群は２枚のレンズより構成され、該第２レンズ群は物体側から像側へ順に、正レンズ、正レンズ、負レンズ、正レンズより構成され、該第３レンズ群は１枚のレンズより構成され、広角端における全系の焦点距離をｆｗ、該第１レンズ群の焦点距離をｆ１、該第２レンズ群の焦点距離をｆ２、該第２レンズ群の最も像側の正レンズの焦点距離をｆＧ２４、広角端から望遠端へのズーミングにおける該第２レンズ群と該第３レンズ群の光軸方向の移動量を各々ｍ２、ｍ３（移動量の符号は像側へ移動するときを正）とするとき、
１．３＜｜ｆ１／ｆｗ｜＜２．３ 
１．０＜ｆＧ２４／ｆ２＜１．６ 
−０．１５＜ｍ３／ｍ２＜−０．０１ 
なる条件式を満足することを特徴としている。
【手続補正３】
【補正対象書類名】明細書
【補正対象項目名】００１７
【補正方法】変更
【補正の内容】
【００１７】
レンズ断面図において、Ｌ１は負の屈折力（光学的パワー＝焦点距離の逆数）の第１レンズ群、Ｌ２は正の屈折力の第２レンズ群、Ｌ３は正の屈折力の第３レンズ群である。ＳＰ１は開放Ｆナンバー（Ｆｎｏ）光束を決定（制限）する開口絞りの作用をするＦナンバー決定部材（以下「開口絞り」ともいう。）である。ＳＰ２はフレアカット絞りである。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【手続補正４】
【補正対象書類名】明細書
【補正対象項目名】００２０
【補正方法】変更
【補正の内容】
【００２０】
各実施例のズームレンズでは、広角端から望遠端へのズーミングに際して、第１レンズ群Ｌ１が像側に凸状の軌跡の一部を描いて略往復移動して、変倍に伴う像面変動を補正している。第２レンズ群Ｌ２が物体側に単調に移動して主たる変倍を行っている。第３レンズ群Ｌ３は像側に移動している。このとき広角端から望遠端へのズーミングに際して第１レンズ群Ｌ１と第２レンズ群Ｌ２との間隔が小さく、第２レンズ群Ｌ２と第３レンズ群Ｌ３との間隔が大きくなるように各レンズ群が移動している。第３レンズ群Ｌ３を物体側に移動させて無限遠物体から近距離物体へのフォーカシングを行っている。Ｆナンバー決定部材（開口絞り）ＳＰ１は第２レンズ群Ｌ２の物体側に位置している。又は第２レンズ群Ｌ２の最も物体側のレンズＧ２１の物体側頂点とレンズＧ２１の物体側のレンズ面と外周部（コバ部）の交点との間に位置している。フレアカット絞りＳＰ２は、第２レンズ群Ｌ２の像側に位置している。開口絞りＳＰ１とフレアカット絞りＳＰ２はともにズーミングに際して第２レンズ群Ｌ２と一体的に移動する。
【手続補正５】
【補正対象書類名】明細書
【補正対象項目名】００２５
【補正方法】変更
【補正の内容】
【００２５】
このとき広角端における全系の焦点距離ｆｗは、
ｆｗ＝（ｆ１）ｘ（β２ｗ）ｘ（β３ｗ）
で求められる。
【手続補正６】
【補正対象書類名】明細書
【補正対象項目名】００４０
【補正方法】変更
【補正の内容】
【００４０】
条件式（３）の上限値を超えると、ズーミングに際して第３レンズ群Ｌ３の移動量ｍ３が過度に短くなる。そうすると、第３レンズ群Ｌ３を広角端において開口絞りＳＰ１近傍に配置するのが難しくなり、この結果、所望の光学性能を得るために、構成レンズ枚数を増大しなければならなくなる。
【手続補正７】
【補正対象書類名】明細書
【補正対象項目名】００４５
【補正方法】変更
【補正の内容】
【００４５】
−１．５＜（Ｇ２１Ｒａ＋Ｇ２１Ｒｂ）／（Ｇ２１Ｒａ−Ｇ２１Ｒｂ）≦−１．０‥‥‥（４）
０．３５＜（１−β３ｗ２）＜０．５０‥‥‥（５）
０．８＜｜ｆ２／ｆ１｜＜１．３ ‥‥‥（６）
３．５＜ｆ３／ｆｗ＜６．０ ‥‥‥（７）
ＮＧ２４＞１．７５ ‥‥‥（８）
次に各条件式の技術的意味について説明する。
【手続補正８】
【補正対象書類名】明細書
【補正対象項目名】００６９
【補正方法】変更
【補正の内容】
【００６９】
次に、本発明の数値実施例を示す。各数値実施例において、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。また、最も像側の２面はフェースプレート等のガラス材である。また、ｋ、Ａ４、Ａ６、Ａ８、Ａ１０は非球面係数である。非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。但しＲは近軸曲率半径である。尚、バックフォーカスＢＦは最も像側のガラス材の面１７からの距離で示している。数値実施例１、３において間隔ｄ５の値が負になっているが、これは物体側から像側へ順に、開口絞りＳＰ、第２レンズ群Ｌ２の最も物体側のレンズＧ２１と数えたためである。画角は半画角（度）を表わしている。ＢＦはバックフォーカスであり、最終面（ガラスブロック）から像面までの距離で表している。又、前述の各条件式と各数値実施例との関係を表１に示す。